(57)【要約】      （修正有）【課題】排気特性・ジッタ放電特性向上したプラズマディスプレイを提供。【解決手段】プラズマディスプレイパネルは、互いに異なる高さを持つロウ隔壁とカラム隔壁を含み、前記ロウ隔壁とカラム隔壁のうち高い高さを持つ隔壁の誘電率は、低い高さを持つ隔壁の誘電率よりさらに低いことを特徴とする。さらに前記ロウ隔壁とカラム隔壁の高い隔壁は、低い隔壁の誘電率より低い誘電率を持って、誘電率が異なる少なくとも二つ以上の隔壁材から成ることを特徴とする。  またプラズマディスプレイパネルの製造方法は、(ａ)ガラスに形成された誘電体上部にロウ隔壁用及びカラム隔壁用ペーストを塗布する段階、(ｂ)前記ロウ隔壁用及びカラム隔壁用ペーストを露光して所定のパターンを持つロウ隔壁及びカラム隔壁を形成する段階と、(ｃ)前記カラム隔壁上部に前記カラム隔壁ペーストの誘電率より低い誘電率を持つ隔壁材が所定高さ形成される段階を含むことを特徴とする。【選択図】図５
2006216525.tif 000002
【特許請求の範囲】
【請求項１】
互いに異なる高さを持つロウ隔壁とカラム隔壁を含み、前記ロウ隔壁とカラム隔壁のうち高い高さを持つ隔壁の誘電率は、低い高さを持つ隔壁の誘電率よりさらに低いことを特徴とする、プラズマディスプレイパネル。
【請求項２】
前記ロウ隔壁とカラム隔壁のうち高い高さを持つ隔壁はカラム隔壁であることを特徴とする、請求項１記載のプラズマディスプレイパネル。
【請求項３】
前記ロウ隔壁とカラム隔壁のうち高い高さを持つ隔壁上部にブラック層が形成されることを特徴とする、請求項１または２記載のプラズマディスプレイパネル。 
【請求項４】
互いに異なる高さを持つロウ隔壁とカラム隔壁に区画された放電セルを含み、前記ロウ隔壁とカラム隔壁のうち高い高さを持つ隔壁は、低い高さを持つ隔壁の誘電率より低い誘電率を持って、 
前記高い高さを持つ隔壁は、誘電率が異なる少なくとも二つ以上の隔壁材から成ることを特徴とする、プラズマディスプレイパネル。
【請求項５】
前記ロウ隔壁とカラム隔壁の同一高さ部分は、等しい第１誘電率を持つ隔壁材から成り、
前記ロウ隔壁とカラム隔壁間の高さの差部分は、前記第１誘電率より低い第２誘電率を持つ隔壁材から成ることを特徴とする、請求項４記載のプラズマディスプレイパネル。
【請求項６】
前記第２誘電率を持つ隔壁材はブラック物質を含むことを特徴とする、 請求項５記載のプラズマディスプレイパネル。
【請求項７】
前記ロウ隔壁とカラム隔壁のうち高い高さを持つ隔壁は、カラム隔壁であることを特徴とする、請求項４または５記載のプラズマディスプレイパネル。
【請求項８】
互いに異なる高さを持つロウ隔壁とカラム隔壁を含み、
前記ロウ隔壁とカラム隔壁のうち高い高さを持つ隔壁の誘電率は、低い高さを持つ隔壁の誘電率よりさらに低いことを特徴とするプラズマディスプレイ装置。
【請求項９】
前記ロウ隔壁とカラム隔壁のうち高い高さを持つ隔壁は、カラム隔壁であることを特徴とする、請求項８記載のプラズマディスプレイ装置。
【請求項１０】
前記ロウ隔壁とカラム隔壁の中高い高さを持つ隔壁上部にブラック層が形成されることを特徴とする、請求項８または９記載のプラズマディスプレイ装置。 
【請求項１１】
互いに異なる高さを持つロウ隔壁とカラム隔壁に区画された放電セルを含み、前記ロウ隔壁とカラム隔壁のうち高い高さを持つ隔壁は、低い高さを持つ隔壁の誘電率より低い誘電率を持って、 
前記高い高さを持つ隔壁は、誘電率が異なる少なくとも二つ以上の隔壁材から成ることを特徴とする、プラズマディスプレイ装置。
【請求項１２】
前記ロウ隔壁とカラム隔壁の同一高さ部分は、等しい第１誘電率を持つ隔壁材から成り、
前記ロウ隔壁とカラム隔壁間の高さの差部分は、前記第１誘電率より低い第２誘電率を持つ隔壁材から成ることを特徴とする、請求項１１記載のプラズマディスプレイ装置。
【請求項１３】
前記第２誘電率を持つ隔壁材はブラック物質を含むことを特徴とする、 請求項１２記載のプラズマディスプレイ装置。
【請求項１４】
前記ロウ隔壁とカラム隔壁のうち高い高さを持つ隔壁は、カラム隔壁であることを特徴とする、請求項１１または１２記載のプラズマディスプレイ装置。
【請求項１５】
ロウ(ｒｏｗ)隔壁とカラム(ｃｏｌｕｍｎ)隔壁に区画された放電セルを含むプラズマディスプレイパネルの製造方法において、
前記ロウ隔壁とカラム隔壁が形成される過程は、
(ａ)ガラスに形成された誘電体上部にロウ隔壁用及びカラム隔壁用ペーストを塗布する段階と、
(ｂ)前記ロウ隔壁用及びカラム隔壁用ペーストにロウ隔壁及びカラム隔壁のパターンを形成する段階と、
(ｃ)前記カラム隔壁上部に前記カラム隔壁用ペーストの誘電率より低い誘電率を持つ隔壁材が所定高さ形成する段階と
を含むことを特徴とするプラズマディスプレイパネルの製造方法。
【請求項１６】
前記ロウ隔壁用及びカラム隔壁用ペーストにパターンが形成されてから成るロウ隔壁及びカラム隔壁は等しい高さであることを特徴とする、 請求項１５記載のプラズマディスプレイパネルの製造方法。
【請求項１７】
前記カラム隔壁上部に前記カラム隔壁用ペーストの誘電率より低い誘電率を持つ隔壁材を所定高さ形成する段階は、直接パターニング法によって形成することを特徴とする、請求項１５記載のプラズマディスプレイパネルの製造方法。
【請求項１８】
前記直接パターニング法は、インクジェット法、ディスペンシング法の中で何れか一つであることを特徴とする、請求項１７記載のプラズマディスプレイパネルの製造方法。
【請求項１９】
第１の高さを有し、第１の誘電率を有する第１隔壁と、
前記第１の高さよりも高い第２の高さを有し、前記第１の誘電率よりも低い第２の誘電率を有する第２隔壁と、
を備えることを特徴とする、プラズマディスプレイパネル。
【請求項２０】
第１の高さを有し、第１の誘電率を有する第１隔壁と、
前記第１の高さよりも高い第２の高さを有し、前記第１の誘電率よりも低い第２の誘電率を有する第２隔壁とを備え、
前記第２隔壁は、誘電率が異なる少なくとも二つ以上の隔壁材からなること特徴とする、プラズマディスプレイパネル。
【発明の詳細な説明】
【技術分野】
【０００１】
本発明は、プラズマディスプレイパネルに関し、より詳しくは、プラズマディスプレイパネルの放電セルを区切る隔壁を改善して放電效率を向上できるプラズマディスプレイ装置、プラズマディスプレイパネル及びその製造方法に関する。
【背景技術】
【０００２】
一般的に、プラズマディスプレイパネルは前面パネルと背面パネルの間に形成された隔壁が一つの放電セルを成して、各セル内にはネオン(Ｎｅ)、ヘリウム(Ｈｅ)またはネオンとヘリウムの混合気体(Ｎｅ＋Ｈｅ)のような主放電気体と少量のキセノンを含む不活性ガスが充電されてある。高周波電圧によって放電する時、不活性ガスは真空紫外線(Ｖａｃｕｕｍ  Ｕｌｔｒａｖｉｏｌｅｔ  Ｒａｙｓ)を発生して、隔壁の間に形成された蛍光体を発光させて画像が具現される。 このようなプラズマディスプレイパネルは、薄く軽い構成が可能なので次世代表示装置として脚光を浴びている。
【０００３】
図１は、従来のプラズマディスプレイパネルの構造を示す斜視図である。図1を参照すれば、従来のプラズマディスプレイパネル１００は、前面ガラス１０上にスキャン電極１１及びサステイン電極１２が形成された前面基板と、背面ガラス２０上にアドレス電極２２が形成された背面基板が一定な間隔を置いて合着される。 
【０００４】
前面基板は、前面ガラス１０にスキャン電極１１とサステイン電極１２それぞれが透明電極１１ａ、１１ｂ、例えば、インジウムティンオキサイド(Ｉｎｄｉｕｍ−Ｔｉｎ−Ｏｘｉｄｅ： ＩＴＯ、１１ａ、１２ａ)で形成されて、且つ、スキャン電極１１とサステイン電極１２それぞれには抵抗を減らすための金属バス電極(１１ｂ、１２ｂ)が形成される。スキャン電極１１とサステイン電極１２が形成された上部基板１０には、上部誘電体層１３ａと保護膜１４が積層される。上部誘電体層１３ａには、プラズマ放電の時発生された壁電荷が蓄積される。保護膜１４は、プラズマ放電の時発生されたスパッタリング（ｓｐｕｔｔｅｒｉｎｇ）による上部誘電体層１３ａの損傷を防止することと共に、２次電子の放出效率を高める。保護膜１４には、通常、酸化マグネシウム(ＭｇＯ)が利用される。
【０００５】
背面基板は、アドレス電極２２が形成された背面ガラス２０上に下部誘電体層１３ｂ、隔壁２１が形成されて、下部誘電体層１３ｂと隔壁２１の表面には蛍光体層２３が塗布される。アドレス電極２２は、スキャン電極１１及びサステイン電極１２と交差される方向に形成される。隔壁２１は、アドレス電極２２と並んで形成されて、放電によって生成された紫外線及び可視光が隣接した放電セルに漏洩することを防止する。蛍光体層２３は、プラズマ放電の時発生された紫外線によって励起されて、赤色、緑色または青色の中で何れ一つの可視光線を発生するようになる。前面基板と下部基板の間の隔壁２１に区画された放電セルの放電空間には、放電のためのＨｅ＋XｅまたはＮｅ＋Xｅなどの不活性混合ガスが注入される。
【０００６】
一方、背面基板の上に複数個の放電空間すなわち、放電セルを形成させるための隔壁２１は、その構造によってストライブ（ｓｔｒｉｐｅ）タイプとウェル(ｗｅｌｌ)タイプに分けられる。このような隔壁２１構造は、輝度特性、排気特性及び蛍光体塗布面積などを考慮して多様に設計される。
【０００７】
図２乃至図４は、従来のプラズマディスプレイパネルの隔壁構造を示す。
【０００８】
図２は、背面ガラス２０上の下部誘電体層１３ｂ上部に形成された隔壁２１が一列に配列されたストライブタイプの構造である。隔壁２１は、バス電極と透明電極から成るスキャン電極(図示せず)及びサステイン電極(図示せず)に対して略垂直に配列される。このようなストライブタイプの隔壁構造は、バス電極が放電空間上に露出して背面ガラス２０のアドレス電極との相互作用が円滑で製造工程が簡単である。しかし、放電の時に発生された可視光がその隔壁のストライプ方向に漏洩するようになる短所があり、蛍光体印刷及び排気は容易であるが、隣接セルに影響を与える誤放電と蛍光体塗布面積が小さくて発光效率が高くない短所がある。
【０００９】
一方、図３は、背面ガラス２０上の下部誘電体層１３ｂ上部に形成された隔壁が格子型を持つウェルタイプの構造である。図示するように、隔壁２１は、バス電極と透明電極から成るスキャン電極(図示せず)及びサステイン電極(図示せず)に対して略水平または略垂直に配列される。このようなウェルタイプの隔壁構造は、各放電セルの蛍光体塗布面積が大きくて輝度を増加させることができ、すべての方向でのクロストーク(Ｃｒｏｓｓ−ｔａｌｋ)を防止することができるが、製造工程が難しく、プラズマディスプレイパネル製造工程の中で排気工程で不純ガスが外部に容易に排気できない問題点を持っている。
【００１０】
このようなウェルタイプ隔壁構造の排気特性を進めるために、従来には、図４のように、放電セルを区切る第１隔壁２１ａと第２隔壁２１ｂの間に高さの差を設けて、排気特性を向上させようとした。しかし、このような隔壁構造は、プラズマディスプレイパネルの排気特性は向上し得るが、放電セルを区切る第１隔壁２１ａと第２隔壁２１ｂの間の誘電率に差があって不安定な放電を惹起させる問題点がある。
【００１１】
なおかつ、スキャン及びサステイン電極を構成するバス電極がパネルの行方向での隔壁上に位置する場合、下部基板に形成されたアドレス電極との相互作用が円滑ではなく、ジッタ(Ｊｉｔｔｅｒ)特性が良好にならない。すなわち、アドレス電極とバス電極との間に、実際には回路の駆動には使われない無效電力が発生するようになって、電力損失を惹起させるようになる。
【発明の開示】
【発明が解決しようとする課題】
【００１２】
本発明は、前記のような問題点を解決するための発明であり、その目的は、プラズマディスプレイパネルの隔壁を改善して排気特性及びジッタ特性だけでなく放電特性を向上できるプラズマディスプレイパネル及びその製造方法を提供することにある。
【課題を解決するための手段】
【００１３】
上述した目的を果たすための本発明の第１実施形態によるプラズマディスプレイパネルはお互いに異なる高さを持つロウ隔壁とカラム隔壁に区画された放電セルを含み、ロウ隔壁とカラム隔壁の中高い高さを持つ隔壁の誘電率は低い高さを持つ隔壁の誘電率よりさらに低いことを特徴とする。
【００１４】
ロウ隔壁とカラム隔壁の中高い高さを持つ隔壁はカラム隔壁であることを特徴とする。
【００１５】
ロウ隔壁とカラム隔壁の中高い高さを持つ隔壁上部にブラック層が形成されることを特徴とする。
【００１６】
また、本発明の第２実施形態によるプラズマディスプレイパネルはお互いに異なる高さを持つロウ隔壁とカラム隔壁に区画された放電セルを含み、ロウ隔壁とカラム隔壁の中高い高さを持つ隔壁は誘電率が異なる少なくとも二つ以上の隔壁材から成ることを特徴とする。
【００１７】
ロウ隔壁とカラム隔壁の同一高さ部分は等しい第１誘電率を持つ隔壁材から成り、ロウ隔壁とカラム隔壁間の高さの差部分は第１誘電率より低い第２誘電率を持つ隔壁材から成ることを特徴とする。
【００１８】
第２誘電率を持つ隔壁材はブラック物質を含むことを特徴とする。
【００１９】
ロウ隔壁とカラム隔壁の中高い高さを持つ隔壁はカラム隔壁であることを特徴とする。
【００２０】
本発明によるプラズマディスプレイパネルの製造方法はロウ(ｒｏｗ)隔壁とカラム(ｃｏｌｕｍｎ)隔壁に区画された放電セルを含み前記ロウ隔壁とカラム隔壁が形成される過程は(ａ)ガラスに形成された誘電体上部にロウ隔壁用及びカラム隔壁用ペーストを塗布する段階、 (ｂ)前記ロウ隔壁用及びカラム隔壁用ペーストにロウ隔壁及びカラム隔壁のパターンを形成する段階、及び(ｃ)前記カラム隔壁上部に前記ロウ隔壁ペーストの誘電率より低い誘電率を持つ隔壁材が所定高さ位形成される段階を含む。
【００２１】
ロウ隔壁用及びカラム隔壁用ペーストにパターンが形成されて成り立ったロウ隔壁及びカラム隔壁は等しい高さであることを特徴とする。
【００２２】
カラム隔壁上部に前記カラム隔壁の誘電率より低い誘電率を持つ隔壁材が所定高さ位形成されることは直接ペトンニング法から成ることを特徴とする。
【００２３】
直接パターニング法はパターン印刷法、インクジェット法、ディスフェンシング法の中で何れの一つのを特徴とする。
【００２４】
本発明のプラズマディスプレイパネルは、第１の高さを有し、第１の誘電率を有する第１隔壁と、前記第１の高さよりも高い第２の高さを有し、前記第１の誘電率よりも低い第２の誘電率を有する第２隔壁と、を備えることを特徴とする。
【００２５】
また、別の本発明のプラズマディスプレイパネルは、第１の高さを有し、第１の誘電率を有する第１隔壁と、前記第１の高さよりも高い第２の高さを有し、前記第１の誘電率よりも低い第２の誘電率を有する第２隔壁とを備える。そして、前記第２隔壁は、誘電率が異なる少なくとも二つ以上の隔壁材からなること特徴とする。
【発明の効果】
【００２６】
以上で見るように、本発明はプラズマディスプレイパネルの隔壁構造を改善して排気特性が改善して、無效電力の原因になるジッタ特性を進めて電力損失を防止することができる效果がある。
【００２７】
また、プラズマディスプレイパネル駆動の時アドレス放電による輝度が向上してコントラスト特性を進めることができる效果がある。 
【発明を実施するための最良の形態】
【００２８】
以下では添付された図面を参照して本発明の望ましい実施形態をより詳しく説明する。
<第１実施形態>
図５は、本発明の第１実施形態によるプラズマディスプレイパネルの隔壁構造を示す斜視図である。図５を参照する前に、図面に示さないが本発明の第１実施形態によるプラズマディスプレイパネルは、従来と同じく画像が表示される表示面の前面基板と、背面を成す背面基板とが一定間隔を置いて合着されて形成される。
【００２９】
前面基板は、前面ガラス上部にスキャン電極とサステイン電極が対を成して形成された維持電極が具備されて、スキャン電極及びサステイン電極が平行に配列された前面ガラス上部には上部誘電層が積層されて放電電流を制限する。また、上部誘電層には、プラズマ放電の時発生されるスパッタリング（ｓｐｕｔｔｅｒｉｎｇ）で上部誘電層の損傷防止と共に、２次電子の放出效率を高めるための酸化マグネシウム(ＭｇＯ)を蒸着した保護層が形成される。
【００３０】
背面基板は、前面ガラス上部に平行に配列された維持電極と交差する方向に背面ガラス上部に於いてアドレス電極が具備されて、アドレス電極上部には壁電荷蓄積のための下部誘電層が形成される。また、下部誘電層上には放電セルを区切る隔壁が形成されて、放電セル空間には蛍光層が塗布されて放電の時Ｒ(赤色)、Ｇ(緑色)、Ｂ(青色)中何れか一つの色を持つ可視光線を発生するようになる。
【００３１】
このような構造を持つ本発明のプラズマディスプレイパネルに形成された隔壁は、図５で示すように、背面ガラス２００上の下部誘電体層１３０ｂ上部にロウ隔壁(ｒｏｗ ｒiｂ、２１０ａ)と、カラム隔壁(ｃｏｌｕｍｎ ｒｉｂ、２１０ｂ)とに囲まれて、放電セルを区切るウェルタイプから成り、ロウ隔壁２１０ａとカラム隔壁２１０ｂは互いに異なる高さを持つ。
【００３２】
この時、ロウ隔壁２１０ａとカラム隔壁２１０ｂとは、互いに異なる誘電定数（誘電率）を持つ材質の隔壁材から成るが、ロウ隔壁２１０ａの静電容量とカラム隔壁２１０ｂの静電容量は等しく形成される。すなわち、ロウ隔壁２１０ａとカラム隔壁２１０ｂのうち、高い高さを持つ隔壁は、相対的に低い高さを持つ隔壁より低い誘電定数を持つ材質から成るが、ロウ隔壁の静電容量とカラム隔壁の静電容量は等しく形成される。ここで、ロウ隔壁２１０ａは、同一色の蛍光体例えば、Ｒだけの蛍光体、Ｇだけの蛍光体あるいはＢだけの蛍光体が塗布された放電空間で一つの単位ピクセルで区切るための隔壁であり、一方、カラム隔壁２１０ｂは、Ｒ、Ｇ、Ｂ蛍光体が塗布された放電空間でＲ、Ｇ、Ｂ蛍光体間のそれぞれを分離して単位ピクセルで区切るための隔壁を言う。
【００３３】
ロウ隔壁とカラム隔壁のうち高い高さを持つ隔壁の材質は、通常的に使われる酸化Ｐｂ(ＰｂＯ)を含んだフリッとガラス(Ｆｒｉｔ  Ｇｌａｓｓ)とアルミナ(Ａｌ２Ｏ３)及びその他酸化物で構成されて、相対的に低い高さを持つ隔壁の材質は、酸化Ｐｂ(ＰｂＯ)やその他酸化物の中で二酸化チタン(ＴｉＯ２)のような誘電率を高める酸化物を除いて構成される。この時、プラズマディスプレイパネルのコントラスト特性が向上するようにロウ隔壁とカラム隔壁のうち高い高さを持つ隔壁上部にブラック層が形成されることが望ましい。ブラック層の材質は従来前面基板にコントラスト特性を進めるために形成されたブラックマットリックスの材質と等しい物質ならば充分である。
【００３４】
したがって、本発明の第１実施形態によるプラズマディスプレイパネルは、従来互いに異なる高さを持つロウ隔壁とカラム隔壁の構造を持つプラズマディスプレイパネル駆動の時、ロウ隔壁とカラム隔壁間の誘電率の差によって発生される放電セルの異常放電及び誤放電のような不安定な放電を防止することができるようになる。
【００３５】
一方、上述したように、互いに異なる高さを持つロウ隔壁２１０ａとカラム隔壁２１０ｂは放電特性だけでなく排気特性を進めるが、ロウ隔壁２１０ａとカラム隔壁２１０ｂに区画された放電セルに蛍光体塗布の時、目的以外の放電セルに蛍光体が塗布されてすなわち、蛍光体粘度特性によって目的の放電セル以外の隣接した放電セルに流れこんで蛍光体混色を起こす可能性がある。したがって、Ｒ、Ｇ、Ｂ蛍光体が塗布された放電空間でＲ、Ｇ、Ｂ蛍光体間のそれぞれを分離するカラム隔壁２１０ｂが、ロウ隔壁２１０ａより高い高さの構造を持つように形成されることが望ましい。
【００３６】
このような構造を持つ本発明の第１実施形態によるプラズマディスプレイパネルは、隔壁を製造するにおいて通常的に使うサンドブルラスティング法やエッチング法で製作されることができるが、互いに異なる材質の隔壁材を使うという点を考慮すればマスクを利用したスクリーン印刷法で製作されることが望ましい。 
<第２実施形態>
図６は、本発明の第２実施形態によるプラズマディスプレイパネルの隔壁構造を示す斜視図である。図面に示されていないが、本発明の第２実施形態によるプラズマディスプレイパネルも、上述した本発明の第１実施形態によるプラズマディスプレイパネルの構造と等しく形成される。ただし、本発明の第２実施形態によるプラズマディスプレイパネルに形成された隔壁は、図６に示すように、背面ガラス２００’上の下部誘電体層１３０ｂ’上部にロウ隔壁(ｒｏｗ ｒiｂ、２１０ａ’)と、カラム隔壁(ｃｏｌｕｍｎ ｒiｂ、２１０ｂ’)は、これらによって囲まれて放電セルを区切るウェルタイプ(Ｗｅｌｌ  Ｔｙｐｅ)から成り、ロウ隔壁２１０ａ’とカラム隔壁２１０ｂ’は、互いに異なる高さを持つ。この時、ロウ隔壁２１０ａ’とカラム隔壁２１０ｂ’は、互いに異なる誘電定数を持つ材質の隔壁材から成る。すなわち、ロウ隔壁２１０ａ’とカラム隔壁２１０ｂ’のうち高い高さを持つ隔壁は、相対的に低い高さを持つ隔壁の誘電率により、さらに低い誘電率値を持って、高い高さを持つ隔壁は誘電率が異なる少なくとも二つ以上の隔壁材から成る。
【００３７】
望ましくは、隔壁が形成される下部誘電層１３０ｂ’に上部誘電層(図示せず)方向でのロウ隔壁２１０ａ’と、カラム隔壁の同一高さ部分(２１０ｂｂ)は等しい第１誘電率を持つ隔壁材から成り、ロウ隔壁２１０ａ’とカラム隔壁間の高さの差(２１０ｂｔ)を持つ部分は第１誘電率より低い第２誘電率を持つ隔壁材から成る。この理由は、後述するプラズマディスプレイパネル製造方法の時、隔壁製造工程で工程の便宜性を加えて生産収率を進めるためである。 
【００３８】
等しい第１誘電率を持つ隔壁材の材質は、通常的に使われる酸化Ｐｂ(ＰｂＯ)を含んだプリッガラス(Ｆｒｉｔ  Ｇｌａｓｓ)とアルミナ(Ａｌ２Ｏ３)及びその他酸化物で構成される。第１誘電率より低い第２誘電率を持つ隔壁材の材質は、酸化Ｐｂ(ＰｂＯ)やその他酸化物の中で二酸化チタン(ＴｉＯ２)のような誘電率を高める酸化物を除いて構成される。この時、プラズマディスプレイパネルのコントラスト特性が向上するように第２誘電率を持つ隔壁材にブラック物質を含まれることが望ましいである。ブラック物質は、前面基板にコントラスト特性を進めるために形成されたブラックマットリックスの材質と等しい物質ならば充分である。
【００３９】
したがって、本発明の第２実施形態によるプラズマディスプレイパネルは従来互いに異なる高さを持つロウ隔壁とカラム隔壁の構造を持つプラズマディスプレイパネル駆動の時、ロウ隔壁とカラム隔壁間の誘電率の差によって発生される放電セルの異常放電及び誤放電のような不安定な放電を防止することだけではなくコントラスト特性を進めることができるようになる。 
【００４０】
一方、上述したように、互いに異なる高さを持つロウ隔壁とカラム隔壁は、放電特性だけでなく排気特性を進めるが、ロウ隔壁とカラム隔壁に区画された放電セルに蛍光体塗布の時、目的以外の放電セルに蛍光体が塗布される可能性がある。すなわち、蛍光体粘度特性によって、願わない隣りした放電セルで流れこんで蛍光体混色を起こすことができる。したがって本発明の第１実施形態と同じくＲ、Ｇ、Ｂ蛍光体が塗布された放電空間でＲ、Ｇ、Ｂ蛍光体の間それぞれを分離するカラム隔壁２１０ｂ’がこのロウ隔壁２１０ａ’の高さより高い構造を持つように形成されることが望ましい。
【００４１】
本発明によるプラズマディスプレイ装置は、上述したプラズマディスプレイパネルを駆動するための駆動部(図示せず)を含んで成り、プラズマディスプレイパネルに形成された隔壁構造は上述したところのようである。
【００４２】
このような本発明の第２実施形態によるプラズマディスプレイパネルの製造方法において、隔壁が形成される過程は次の図７ａ乃至図７ｅのようである。
【００４３】
図７ａないし図７ｅは、本発明の第２実施形態によるプラズマディスプレイパネルにおいて、隔壁製造方法を順次に示す図である。 
【００４４】
先ず、図７ａに示すように、電極(図示せず)が実装された背面ガラス２００’上に下部誘電体１３０ｂ’を形成して、下部誘電体１３０ｂ’上には所定の厚さを持つ隔壁用ペースト２１０’を印刷法やコーティング法などで形成する。
【００４５】
この後、隔壁用ペースト上にドライフィルムレジン(Ｄｒｙ  Ｆｉｌｍ  Ｒｅｓｉｎ；以下、ＤＦＲとする、２１１’)を、ラミネイティング工程を通じて形成して、 ＤＦＲ上に所定のパターンを持つフォトマスク２１２’を整列して、ＵＶのような光を照射させる露光工程を行う。
【００４６】
以後、図７ｂのように、ＤＦＲ２１１’露光工程後、現像工程を実施する。このような現像工程によって、光に露出しない領域(以下’未露光領域’とする)のＤＦＲ２１１’は隔壁用ペースト２１０’上に残る一方、光に露出した領域(以下‘露光領域’とする)のＤＦＲ２１１’は蝕刻されて除去される。 
【００４７】
以後、図７ｃのように、現像工程を経た隔壁用ペースト２１０’及びＤＦＲ２１１’上に、サンドブラスティング装置２１２’が位置されて駆動されることで、サンド粒子を隔壁用ペースト２１０’に噴射する。この時、サンド粒子のスパッタリング（ｓｐｕｔｔｅｒｉｎｇ）によって、隔壁用ペースト２１０’が削られる一方、隔壁にあたるペースト２１０’はＤＦＲ２１１’パターンによって保護される。
【００４８】
この後、図７dのように、 ＤＦＲ２１１’によって保護されて形成された隔壁２１０’に剥離工程を実施して、等しい高さのロウ隔壁２１０ａ’とカラム隔壁２１０ｂ’を形成する。一方、本発明のロウ隔壁２１０ａ’とカラム隔壁２１０ｂ’は、図７ａ乃至図７dのように、隔壁ペースト上部にＤＦＲを形成して露光をすることで所定のパターンを持つロウ隔壁及びカラム隔壁を形成することができるが、これとは異なり、隔壁ペースト自体に感光性物質を包含させて露光工程を通じてロウ隔壁及びカラム隔壁を形成することもできる。すなわち、ロウ隔壁及びカラム隔壁にパターンを形成する工程は、露光工程だけでなくパターンを形成させることができる工程なら、どのような工程でも使用できる。
【００４９】
この後、図７ｅのように、カラム隔壁２１０ｂｂ上部に、より低い誘電率を持つ隔壁材２１０ｂｔ)が直接パターニング法で所定高さ形成される。ここで、直接パターニング法と言うのは、スクリーン印刷法のようにパターンマスクのような補助手段を利用してパターンを形成しないで、隔壁ペーストをインクジェット装置のノズルやデぃすペンシング装置のノズルを通じて、隔壁上部に直接塗布する方法を言う。したがって、カラム隔壁上部に、より低い誘電率を持つ隔壁材を形成させる方法は、直接塗布する直接パターニング法ならばすべて可能だが、望ましくは、インクジェット法、ディスペンシング法の中で何れか一つの方法を使って形成するようにする。もちろん、スクリーン印刷法も使うことができる。
【００５０】
図８は、本発明の第１及び第２実施形態によるプラズマディスプレイパネル駆動の時、アドレス区間で現われるジッタ特性を示す。図９は、本発明の第１及び第２実施形態によるプラズマディスプレイパネル駆動の時、アドレス区間で起きる放電による輝度特性を示す。図８及び図９で見るのように、本発明の第１実施形態及び第２実施形態によるプラズマディスプレイパネルは、アドレス区間でのジッタ特性や、アドレス放電の時現われる輝度特性が皆向上することが分かる。
【００５１】
したがって、本発明の第１実施形態及び第２実施形態によるプラズマディスプレイパネルによれば、コントラスト特性を向上できるようになる。
【００５２】
上述したところのように、本発明の技術的構成は、本発明が属する技術分野の当業者が本発明のその技術的思想や必須特徴を変更しなくても他の具体的な形態で実施することができるということを理解することができるはずである。
【００５３】
したがって、以上で記述した実施形態はすべての面で例示的なことで限定的なのではないこととして理解されなければならないし、本発明の範囲は詳細な説明よりは特許請求範囲によって現わされて、特許請求範囲の意味及び範囲そしてその等価概念から導出されるすべての変更または変形された形態が本発明の範囲に含まれることに解釈されなければならない。
【図面の簡単な説明】
【００５４】
【図１】一般的なプラズマディスプレイパネルの構造を示す図。
【図２】従来のプラズマディスプレイパネルの隔壁構造を示す図。
【図３】従来のプラズマディスプレイパネルの隔壁構造を示す図。
【図４】従来のプラズマディスプレイパネルの隔壁構造を示す図。
【図５】本発明の第１実施形態によるプラズマディスプレイパネルの隔壁構造を示す斜視図。
【図６】本発明の第２実施形態によるプラズマディスプレイパネルの隔壁構造を示す斜視図。
【図７ａ】本発明の第２実施形態によるプラズマディスプレイパネルにおいて、隔壁製造方法を順次に示す図。
【図７ｂ】本発明の第２実施形態によるプラズマディスプレイパネルにおいて、隔壁製造方法を順次に示す図。
【図７ｃ】本発明の第２実施形態によるプラズマディスプレイパネルにおいて、隔壁製造方法を順次に示す図。
【図７ｄ】本発明の第２実施形態によるプラズマディスプレイパネルにおいて、隔壁製造方法を順次に示す図。
【図７ｅ】本発明の第２実施形態によるプラズマディスプレイパネルにおいて、隔壁製造方法を順次に示す図。
【図８】本発明の第１及び第２実施形態によるプラズマディスプレイパネル駆動の時、アドレス区間で現われるジッタ特性を示す図。
【図９】本発明の第１及び第２実施形態によるプラズマディスプレイパネル駆動の時、アドレス区間で起きる放電による輝度特性を示す図。
【符号の説明】
【００５５】
２００’：背面ガラス                ２１０’：隔壁用ペースト
２１１’：ドライフィルムレジン             ２１２’：フォトマスク
２１３’：サンドブルラスティング装置    ２１０ａ’：ロウ隔壁
２１０Ｂ’：カラム隔壁
【図１】
2006216525.tif 000003
【図２】
2006216525.tif 000004
【図３】
2006216525.tif 000005
【図４】
2006216525.tif 000006
【図８】
2006216525.tif 000007
【図９】
2006216525.tif 000008
【図５】
2006216525.tif 000009
【図６】
2006216525.tif 000010
【図７ａ】
2006216525.tif 000011
【図７ｂ】
2006216525.tif 000012
【図７ｃ】
2006216525.tif 000013
【図７ｄ】
2006216525.tif 000014
【図７ｅ】
2006216525.tif 000015